(57)【要約】【課題】キーの表示を変更できて、その表示用の配線が破損する問題を解消する。【解決手段】スイッチ部３と、このスイッチ部３を押圧するキー釦部４と、このキー釦部４の上面に設けられる表示部５と、この表示部５の端子５１に対し接離自在の表示部用端子１２と、を備える。具体的には、表示部用端子１２は、キー釦部４と当接するケース１面に設けられている。表示部５は、電力供給なしで表示内容を保持する電子ペーパーである。表示部５の表示内容が所定タイミングで書き換えられる。【選択図】図３
2009087865.tif 000002
【特許請求の範囲】
【請求項１】
スイッチ部と、
このスイッチ部を押圧するキー釦部と、
このキー釦部の上面に設けられる表示部と、
この表示部の端子に対し接離自在の表示部用端子と、を備えることを特徴とするキー釦構造。
【請求項２】
前記表示部用端子は、前記キー釦部と当接するケース面に設けられていることを特徴とする請求項１に記載のキー釦構造。
【請求項３】
前記表示部は、電力供給なしで表示内容を保持する電子ペーパーであることを特徴とする請求項１または２に記載のキー釦構造。
【請求項４】
前記表示部の表示内容が所定タイミングで書き換えられることを特徴とする請求項１から３のいずれか一項に記載のキー釦構造。
【請求項５】
前記表示部の端子と前記表示部用端子の少なくとも一方に導電ゴムを備えることを特徴とする請求項１から４のいずれか一項に記載のキー釦構造。
【請求項６】
キー入力部に、請求項１から５のいずれか一項に記載のキー釦構造を備えることを特徴とする電子機器。
【発明の詳細な説明】
【技術分野】
【０００１】
本発明は、キーの表示を変更できるキー釦構造と、そのキー釦構造を備える電子機器に関する。
【背景技術】
【０００２】
電子機器のキー入力装置において、必要に応じて電力供給(表示信号の供給)して表示内容を変更すると共に、電力供給なしで表示内容を保持する電子ペーパーを用いてキーの表示を変更させることができるようにした技術がある（特許文献１参照）。
また、冷蔵庫において、複数のドアのうち何れかのドアの開きに応じて押し釦スイッチを作動させて、所定の動作を行わせることができるようにした技術もある（特許文献２参照）。
【特許文献１】特開２００５−３５２９８７号公報
【特許文献２】特開平１０−２４６５６９号公報
【発明の開示】
【発明が解決しようとする課題】
【０００３】
しかし、特許文献１の技術は、キーと対応して設けた電子ペーパーの夫々の配線が示されているが、その配線はスイッチシートを挟んでいる電子ペーパーと回路基板とを接続しているため、キー入力操作を行う場合の押圧力に応じて撓むように取り付けられている。従って、何度も配線を押圧していると破損する虞があり、また、クリック感が損なわれる虞がある。
また、特許文献２の技術は、一つの押圧部に複数の接続部を設けているが、キーボードに電子ペーパーなどの表示装置を用いたものではない。
【０００４】
本発明の課題は、必要なときにキー釦部の機能が表示によって確実に判るようにすると共に、その表示用の配線が破損したり、クリック感が損なわれたりする問題を解消することである。
【課題を解決するための手段】
【０００５】
以上の課題を解決するため、請求項１に記載の発明は、スイッチ部と、このスイッチ部を押圧するキー釦部と、このキー釦部の上面に設けられる表示部と、この表示部の端子に対し接離自在の表示部用端子と、を備えるキー釦構造を特徴とする。
【０００６】
請求項２に記載の発明は、請求項１に記載のキー釦構造であって、前記表示部用端子は、前記キー釦部と当接するケース面に設けられていることを特徴とする。
【０００７】
請求項３に記載の発明は、請求項１または２に記載のキー釦構造であって、前記表示部は、電力供給なしで表示内容を保持する電子ペーパーであることを特徴とする。
【０００８】
請求項４に記載の発明は、請求項１から３のいずれか一項に記載のキー釦構造であって、前記表示部の表示内容が所定タイミングで書き換えられることを特徴とする。
【０００９】
請求項５に記載の発明は、請求項１から４のいずれか一項に記載のキー釦構造であって、前記表示部の端子と前記表示部用端子の少なくとも一方に導電ゴムを備えることを特徴とする。
【００１０】
請求項６に記載の発明は、キー入力部に、請求項１から５のいずれか一項に記載のキー釦構造を備える電子機器を特徴とする。
【発明の効果】
【００１１】
本発明によれば、必要なときにキー釦部の機能が表示によって確実に判る。しかも、表示用の配線が破損したり、クリック感が損なわれたりする問題を解消できる。
【発明を実施するための最良の形態】
【００１２】
以下、図を参照して本発明を実施するための最良の形態を詳細に説明する。
図１から図３は本発明を適用した一実施形態の構成としてキー釦部を示すもので、各図（ａ）はオフ状態、各図（ｂ）はオン状態を示しており、１はケース、２は基板、３はキードーム（スイッチ部）、４はキー釦部、５は電子ペーパー（表示部）、６はキーカバーである。
【００１３】
実施形態は携帯電話のキー入力部に適用したものであり、テンキー、平仮名、片仮名、ローマ字、早送り、巻き戻し等の入力指定を1つのキーで選択的に行うものである。
そして図示のように、ケース１のキー釦孔には、基板２上に設けられた、クリック感を与えるスイッチ部としてのキードーム３に対応して、キー釦部４、その上の表示部としての電子ペーパー５及びキーカバー６が組み込まれている。すなわち、キー釦部４の上面に電子ペーパー５が重ねて設けられるとともに、この電子ペーパー５を覆う透明のキーカバー６も重ねて設けられており、このキーカバー６がケース１のキー釦孔内に上下動可能に組み付けられている。
【００１４】
キー釦部４は、具体的には、図３に示すように、キードーム３を押し下げてスイッチオン状態にする押圧部４１が下面中央に設けられるとともに、その周囲に一体で、キードーム３の押し下げ量を規制するストッパ４２が設けられている。
そして、キー釦部４の上面には、例えばセグメントタイプの電子ペーパー５が重ねて設けられるとともに、少なくとも４つの端子５１が設けられており、図４の例では左右一対ずつ設けられている。この端子５１上に、電気的接続状態を良好に維持する導電ゴム５２が重ねて設けられている。
さらに、キー釦４の上面には、電子ペーパー５を覆う透明のキーカバー６が周囲を重ねて設けられている。
【００１５】
また、ケース１のキー釦孔周囲の内面側には、図５に示すように、４本の表示部用配線１１が設けられるとともに、その配線の表示部用端子１２がキー釦孔周囲に設けられており、図示例では左右一対ずつ設けられている。この各表示部用端子１２は電子ペーパー５と電気的接続がなされている。また、この表示部用端子１２に前記導電ゴム５２を重ねて設けるようにしても良い。
この表示部用端子１２に対し、キー釦部４上面の端子５１が、図３（ａ）に示すように、スイッチオフ状態において、キードーム３の弾性力による付勢で圧接した接続状態に保持される。
【００１６】
なお、例えば図６に示すように、ケース１の内面側において、全ての表示部用配線１１が所定位置にまとめられ、その表示部用配線１１に導線７(フラットケーブルなど)が接続されており、この導線７はコネクタ８を介して基板２上に接続されている。そして、表示部用配線１１を介して所定の表示信号を電子ペーパー５に供給することで、その電子ペーパー５の表示内容を変更する。
【００１７】
以上において、電子ペーパー５の表示内容は、アプリケーションの種類に対応して、例えばモードキーによる選択モードや、例えばメニューキーによる選択メニュー等に応じて所定タイミングで書き換えられる。
例えばモードキーにより平仮名モードやローマ字モードを選択すると、キー釦部４上の電子ペーパー５に平仮名やローマ字が表示されたり、ローマ字モードや片仮名モードを選択すると、キー釦部４上の電子ペーパー５にローマ字や片仮名が表示されたりする。
また、メニューキーの場合、例えばカメラ再生キーを押したカメラモード等の場合、キー釦部４上の電子ペーパー５に早送り、巻き戻し等の表示がされる。
また、携帯電話において表示部側を回転させることによって、ワンセグテレビが起動するものの場合、ワンセグテレビの起動によってテレビ用のキー、例えば、局名などが表示され、また、ブラウザ起動時には、戻る、進む、ブックマークなどの表示がなされる。
【００１８】
ここで、例えばローマ字表示と平仮名表示の２種類を書き換えるのには、前記配線１１は、平仮名部分・ローマ字部分・平仮名時ローマ字両方使用部分・バックグランドと、前述したように４本必要となる。
【００１９】
以上、実施形態のキー釦構造によれば、キーカバー６を押してキー釦部４を押し下げると、図３（ｂ）に示したように、キー釦部４の下面中央の押圧部４１が、キードーム３を押し下げてスイッチオン状態になる。
このとき、ケース１の下面の表示部用端子１２に対し、キー釦部４の上面の端子５１が離間した状態になるが、電子ペーパー５であるため、端子１２・５１が非接続状態となって電源が切れた状態でも表示は維持される。
【００２０】
従って、必要なときにキー釦部４の機能が、電子ペーパー５の表示によって確実に判る。
しかも、従来のような表示用の配線が破損する問題を解消できる。
また、キードーム３によって、キー釦部４の押し込み操作時のクリック感も得られる。
【００２１】
（変形例）
なお、以上の実施形態においては、携帯電話としたが、本発明はこれに限定されるものではなく、デジタルカメラ、ビデオカメラ、ＰＤＡ、ノートパソコン、ウェアラブルパソン、電卓、電子辞書などの携帯機器、その他の電子機器すべてに用いることができる。
また、表示部は、電子ペーパーに限らず、ＬＥＤ、ＬＣＤなど適宜のものを採用し得る。
さらに、表示部は、押圧した時に端子とつながって表示データを書き換えられるようにしても良い。
また、端子の配線は共通線にして表示データを書き換える際に対象キーを選択するようにしても良い。
さらに、スイッチ部、キー釦部、表示用の端子の構成等も任意であり、その他、具体的な細部構造等についても適宜に変更可能であることは勿論である。
【図面の簡単な説明】
【００２２】
【図１】本発明を適用した一実施形態の構成を示す斜視図で、キー釦部のオフ状態を示した図（ａ）とオン状態を示した図（ｂ）である。
【図２】図１のキー釦部を破断して示すもので、オフ状態の図（ａ）とオン状態の図（ｂ）である。
【図３】図２のキー釦部の破断部を拡大して示す縦断面図で、オフ状態の図（ａ）とオン状態の図（ｂ）である。
【図４】図１のキー釦部を単体状態で示した斜視図である。
【図５】図１のケースの内面側を示した斜視図である。
【図６】図５のケース内面の配線パターンへの回路基板からの配線例を示した縦断面図である。
【符号の説明】
【００２３】
１  ケース
１１  表示部用配線
１２  表示部用端子
２  基板
３  スイッチ部
４  キー釦部
４１  押圧部
４２  ストッパ
５  表示部
５１  端子
５２  導電ゴム
６  キーカバー
７  導線
８  コネクタ
【図１】
2009087865.tif 000003
【図２】
2009087865.tif 000004
【図３】
2009087865.tif 000005
【図４】
2009087865.tif 000006
【図５】
2009087865.tif 000007
【図６】
2009087865.tif 000008